(57)【要約】【課題】タイマー予約による放送情報を自動的に記録する記録再生装置及び方法に関し、停電によってタイマー予約データが影響を受けて自動的な記録が不可能になることを解消する。【解決手段】記録再生装置側通信部１９とサーバー側通信部１６とにより記録再生装置１とサーバー付き電力量計１３との間でデータを双方向に通信可能にし、予めタイマー予約データ付き電力量計１３側で記憶する。停電復帰後にタイマー予約データを記録再生装置１に送信し、予約時刻に自動的に放送情報を記録する。【選択図】　　　図１
2004022037.tif 000002
【特許請求の範囲】
【請求項１】
停電においてもデータを保持し処理する能力を有し且つ家電機器とのデータ通信を行うサーバー側通信手段を有するサーバー付き電力量計を介して電力が供給されると共に、タイマー予約データを記憶するタイマー予約データ用メモリを有し所望の放送情報を予約時刻に記録媒体に自動的に記録する記録再生装置において、前記タイマー予約データ用メモリに記憶された前記タイマー予約データを前記サーバーとの間で双方向に通信する記録再生装置側通信手段と、前記タイマー予約データが前記タイマー予約データ用メモリに記憶される際に前記サーバー側通信手段とにより前記サーバー側に送信するための前記記録再生装置側通信手段に設けた送信手段と、停電復帰後に前記サーバー側通信手段により前記サーバーから送信されて得られる前記タイマー予約データが受信され前記タイマー予約データ用メモリに書き込む前記記録再生側通信手段に設けた受信手段とを具備し、停電復帰後に前記タイマー予約データを前記タイマー予約データ用メモリに再度書き込み記憶させ前記所望の放送情報を前記記録媒体に自動的に記録することを特徴とする記録再生装置。
【請求項２】
前記タイマー予約メモリにタイマーデータを供給するために設けられ、前記停電復帰後に前記受信手段により受信される前記タイマー予約データと共に受信される前記タイマーデータが供給されて再起動するタイマー手段を有することを特徴とする請求項１記載の記録再生装置。
【請求項３】
停電においてもデータを保持し処理する能力を有し且つ家電機器とのデータ通信を行うサーバー側通信手段を有するサーバー付き電力量計を介してタイマー予約データ用メモリを備えた記録再生装置に電力を供給し、前記タイマー予約データ用メモリに記憶されるタイマー用予約データを前記記録再生装置に設けた記録再生装置側通信手段と前記サーバー側通信手段とにより前記サーバーに送信し、停電復帰後に前記タイマー予約データ用メモリで前記タイマー予約データを回復するために前記サーバーで保持されている前記タイマー予約データを前記サーバー側通信手段と前記記録再生装置側手段とにより受信して前記タイマー予約データ用メモリに再び記憶し、この記憶されたタイマー予約データに基づき放送情報を自動的に記録することを特徴とする記録再生方法。
【請求項４】
前記サーバーにおいて、停電復帰の時刻が前記タイマー予約データにおける設定時刻を経過し記録不能に至ったか否かを判別し、記録不能の判別結果が得られたときには前記サーバーに記憶された前記タイマー予約データを消滅させるようにしたことを特徴とする請求項３記載の記録再生方法。
【請求項５】
前記停電復帰後に前記サーバー側で保持された前記タイマー予約データを前記タイマー予約用メモリに送信すると共に、前記タイマー予約データ中のタイマーデータをタイマー手段に供給して再起動をすることを特徴とする請求項３記載の記録再生方法。
【発明の詳細な説明】
【０００１】
【発明の属する技術分野】
本発明は画像情報、文字情報、音声情報等のデータ情報が送信される放送、通信等の放送情報を受信し、この放送情報を記録媒体に記録し再生するための記録再生装置に関し、特にタイマー予約による前記放送情報を自動的に記録媒体に記録する記録再生装置及び方法に関する。
【０００２】
【従来の技術】
放送や通信の発達に伴い、前記放送情報が多チャンネルで家庭に送信されるようになった。併せて、受信側も技術の進歩により予めタイマー予約により所望の放送情報の自動的な記録が自由に行えるようになっている。これは留守にしていても所望の放送情報が記録できることで極めて有効なものである。しかし、停電になると電力供給がなされないため自動的な記録が不可能となる。
【０００３】
そのために、例えば、特開２０００−３１２３２３号公報（第１の従来技術）に記載されているように、同じ内容の番組をその日に数回放送するＣＳデジタル放送では、予約した時間内に停電があっても再設定ができる。この再設定を自動的に行うため、予約したデータを記憶すると共に停電の時刻を監視し、これらデータから停電により記録できなかった番組に該当する再放送が有れば自動的にタイマー予約を設定し直すという技術がある。
【０００４】
また、例えば、特開２０００−３５４２２１号公報（第２の従来技術）では、停電が発生して設定データが失われたことを公衆回線を通し、携帯電話によりユーザーに知らしめ、ユーザーは再び携帯電話によりタイマー予約設定を行うことができる技術が提案されている。
【０００５】
更に、例えば、実開平４−６２５２４号公報（第３の従来例）では、停電発生と同時にＶＴＲ本体と双方向通信可能であり、且つ電池を内蔵するリモートコントローラに録画予約データを送信し、停電が復帰したときにリモートコントローラに保持された前記予約データをＶＴＲ本体に戻す技術が提案されている。
【０００６】
更にまた、例えば、特開２０００−１８２３１５号公報（第４の従来例）では、記録媒体である例えば光ディスクに予約データの全てを記録しておき、停電によって予約データが失われないようにした技術が提案されている。
【０００７】
【発明が解決しようとする課題】
前記第１の従来技術では、予約内容のデータが停電の影響を受けないようにしなければならない。そのため、バックアップメモリのみならず停電状況を監視する電源監視部を設け、予約内容、停電時刻等データを停電に影響されないように保持し、演算処理することが必要になる。この第１の従来技術では、このような回路構成をチューナ毎に設けているためコスト的に不利となる。
【０００８】
また、前記第２の従来技術では、ユーザー所有の携帯電話が通話可能領域にない場合、通話自体を切断している場合等にあると、停電が発生したことの情報が伝達されないという問題がある。また、公衆回線を用いるためコストの面で不利である。
【０００９】
更に、前記第３の従来例では、リモートコントローラの移動が容易であり、且つ通信領域も極めて限定されている。そのため、リモートコントローラは通信ができない場所に置かれてしまうおそれがある。従って、停電復帰後に保持された録画予約データが確実にＶＴＲ本体に戻されないという問題点がある。
【００１０】
更にまた、前記第４の従来技術では、例えば光ディスクである記録媒体に予約データの全てを記録するため、その記録領域を必要とし、本来の録画の記録容量を低下させてしまう。また、タイマースタンバイモードに入ったならば光ディスク上の予約データを読み出すために装置を一旦、再生モードにする複雑なモード制御をしなければならないという問題点がある。
【００１１】
本発明は、上記従来技術の有する課題を解決し、停電によってタイマー予約データが影響を受けて自動的な記録が不可能になることのない記録再生装置及び方法を提供することを目的とする。
【００１２】
【課題を解決するための手段】
上記目的を達成するために、本発明は、停電においてもデータを保持し処理する能力を有し且つ家電機器とのデータ通信を行うサーバー側通信手段を有するサーバー付き電力量計を介して電力が供給されると共に、タイマー予約データを記録するタイマー予約データ用メモリを有し所望の放送情報を予約時刻に記録媒体に自動的に記録する記録再生装置において、前記タイマー予約データ用メモリに記憶された前記タイマー予約データを前記サーバーとの間で双方向に通信する記録再生装置側通信手段と、前記タイマー予約データが前記タイマー用メモリに記憶される際に前記サーバー側に送信するための前記記録再生装置側通信手段に設けた送信手段と、停電復帰後に前記サーバー側通信手段により前記サーバーから送信されて得られる前期タイマー予約データが受信され前記タイマー予約データ用メモリに書き込む前記記録再生装置側通信手段に設けた受信手段とを具備し、停電復帰後に前記タイマー予約データを前記タイマー予約用メモリに再度書き込み記憶させ前記所望の放送情報を前記記録媒体に自動的に記録するようにした記録再生装置である。
【００１３】
ここで、前記記録再生装置は、前記タイマー予約メモリにタイマーデータを供給するために設けられ、前期停電復帰後に前記受信手段により受信される前記タイマー予約データと共に受信される前記タイマーデータが供給されて再起動するタイマー手段を有する。
【００１４】
一方、本発明は、停電においてもデータを保持し処理する能力を有し且つ家電機器とのデータ通信を行うサーバー側通信手段を有するサーバー付き電力量計を介してタイマー予約用メモリを備えた記録再生装置に電力を供給し、前記タイマー予約データ用メモリに記憶されるタイマー用予約データを前記記録再生装置に設けた記録再生装置側通信手段と前記サーバー側通信手段とにより前記サーバーに送信し、停電復帰後に前記タイマー予約データ用メモリで前記タイマー予約データを回復するための前記サーバーで保持されている前記タイマー予約データを前記サーバー側通信手段と前記記録再生装置側通信手段とにより受信して前記タイマー予約データ用メモリに再び記憶し、この記憶されたタイマー予約データに基づき放送情報を自動的に記録する記録再生方法である。
【００１５】
ここで、前記サーバーにおいて、停電復帰の時刻が前記タイマー予約データにおける設定時刻を経過し記録不能に至ったか否かを判別し、記録不能の判別結果が得られたときには前記サーバーに記憶された前記タイマー予約データを消滅させる記録再生方法である。
【００１６】
更に、前記停電復帰後に前記サーバー側で保持された前記タイマー予約データを前記タイマー予約用メモリに送信すると共に、前記タイマー予約データ中のタイマーデータをタイマー手段に供給して再起動をする記録再生方法である。
【発明の実施の形態】
以下、図面を用いて本発明の実施の形態について説明する。
【００１７】
図１は、本発明による記録再生装置の実施の形態の一例における構成である。１は磁気テープである記録媒体２に情報を記録し、それより再生する記録再生装置である。３は記録再生装置１に設けられた制御用マイクロコンピュータ、４は同じく記録再生装置１に設けられた駆動部、５は同じく記録再生装置１に設けられた操作部であり、この操作部５を操作し制御用マイクロコンピュータ３でもって記録再生装置１の記録モード、再生モード等を得るようになっている。６はタイマー予約データ用メモリ、７はタイマー手段を形成するタイマー回路であり、前記操作部５を操作しタイマー予約による記録時刻に相当するタイマー予約データが予め設定できるようになっている。このような所謂タイマー予約は、放送が行われるチャンネル、放送日、記録開始時刻、記録終了時刻等の種々の情報を符号化によりコード化してタイマー予約データ用メモリ６に記憶させるものである。
８は記録再生装置１の電源回路、９は電源コードである。
【００１８】
１０は屋内電灯線、１１は屋内電灯線１０の適当な個所に設けられたコンセントであり、このコンセント１１には記録再生装置１の電源コード９が接続される。１２は屋外電灯線、１３はこの屋外電灯線１２と屋内電灯線１０との間に設けられた既に存在するサーバー付き電力量計である。このサーバー付き電力量計１３は消費電力量を積算する電力量計１４とサーバー１５とからなり、サーバー１５は各種家電製品（図示せず）の電力消費量を効率よくするための管理、制御を行うものとして活用されつつある。そのために、サーバー付き電力量計１３は家電機器との間で屋内電灯線１０を利用して双方向通信で行うためサーバー側通信手段を形成するサーバー側通信部１６を備えている。１７はサーバー１５に設けたメモリである。１８は停電になっても電力量計１３で積算した電力量等のデータを保持し、データの処理を行うバッテリーである。
【００１９】
１９は前記記録再生装置１に設けた記録再生側通信手段を形成する記録再生側通信部、２０はその送信手段を形成する送信回路、２１は同じくその受信手段を形成する受信回路である。再生側通信部１９は前記サーバー側通信部１６とによりサーバー１５と屋内電灯線１０を介して双方向通信がなされるようになっている。即ち、これら通信手段はサーバー１のメモリ１７とタイマー予約データ用メモリ６との間のデータのやり取りができるように構成されている。また、受信部２１とタイマー回路７とが接続され、受信されたタイマー予約データ中のタイマーデータによりタイマー回路７が再起動するようになっている。
【００２０】
次に、本発明の実施の形態によるタイマー予約の動作について第２図のフローチャートを参照して説明する。
【００２１】
まず、電源コード９をコンセント１１に差込んで電力を供給し、記録再生装置１の電源を投入して操作開始を図る。そして、ステップＳ１において、タイマー予約入力を行う。これは、例えば放送番組のコードデータを操作部５によりタイマー予約データ用メモリ６に書き込んでタイマー予約データとして記憶させる。ステップ２においては、ステップ１でタイマー予約が完了したことの指示に基づき、記録再生装置側通信部１９とサーバー側通信部１６との間でデータの転送がなされる。即ち、タイマー予約データが送信部２０より屋内電灯線１０を介してサーバー１５側のメモリ１７に送信され記憶される。
【００２２】
このようにして、タイマー予約の設定が完了し、記録再生装置１は所謂、留守録の状態になる。その後、サーバー１５はステップ３で示すように停電の発生を監視する。ステップ４では、ステップ３で停電が確認できなかったことを条件に予約時刻に至ったか否かを判別する。停電が発生せず予約時刻に至った場合は、タイマー予約データ用メモリ６に記憶されたタイマー予約データが失われていないので、このデータに基づいて記録再生装置１が所定の放送番組の記録を自動的に開始する。一方、サーバー１５側ではメモリ１７に記憶した予約情報のデータは不要なので自動的に破棄して消滅させ初期状態に設定し終了とする。
【００２３】
一方、ステップ３で停電発生が確認された場合は、サーバー１５はステップ５で示すように停電発生後の停電復帰を監視する。ステップ６では停電復帰の有無を判別する。ステップ７では、ステップ６で復帰時刻がタイマー予約時刻の以前か後かを判別する。判別結果がタイマー予約前と判別されると、ステップ８において、サーバー１５は停電によりタイマー予約データ用メモリ６に記憶されたタイマー予約データが消滅したと判断し、自分のメモリ１７に記憶していたタイマー予約データを読み出しサーバー側通信部１６により屋内電灯線１０を介して記録再生装置側通信部１９に送信する。そして、記録再生装置１はタイマー予約データが受信されるとそのデータがタイマー予約データ用メモリ６に書き込まれ、予約情報のデータの復帰がなされ終了となる。
【００２４】
その後、タイマー予約時刻に達すると記録再生装置１は既に電力が供給されているので復帰されたタイマー予約データに基づき放送番組の記録が自動的になされる。
【００２５】
一方、停電復帰がタイマー予約時刻後であった場合には、ステップ７において、サーバー１５はステップ７でタイマー予約時刻後であると判別する。これは既に記録しようとした番組の放送が終わってしまったので、サーバー１５はそのメモリ１７に記憶された予約情報のデータは不要なので自動的に破棄して消滅させ初期状態に設定し終了とする。
【００２６】
ここで、停電復帰が予約記録開始時刻後、記録終了以前に生じることがある。番組によっては最初の部分が未記録であってもその後を記録したいことがある。このような要望を満たしために、操作部５による予約設定の際に例えば、１時間の記録において最初の１０分以内だけ未記録があってもこれを許容するように設定する。そして、その設定データをサーバー１５のメモリ１７に転送し記憶させる。このようにして、ステップ７における判別に際し、１０分の時間のシフトを持たせるようにすることができる。従って、ユーザーは残りの５０分の記録情報が得られる。前記シフトされる時間は制御用マイクロコンピュータ７のソフトにより任意に設定できる。
【００２７】
本発明の実施の態様の一例によれば、磁気記録再生装置１によるタイマー予約記録を行うに際し、予めそのデータを停電の影響を受けないサーバー１５側のメモリ１７に記憶させておく。そして、停電発生後の回復に当り、そのデータを記録再生装置１に送り停電により消滅したデータを回復させるようにしたため、停電があっても自動的に予約記録ができる。
【００２８】
また、データの転送、処理は既存のサーバー１５、サーバー側通信部１６、屋内電灯線１０等を用いるので低コストで済ませることができる。このことは、めったに生じない停電のために高コストを費やさないで、停電の障害を除去するということで有効である。
【００２９】
本発明は、その実施の態様の一例において記録媒体１として磁気テープを用いたが、これに限定されることなく磁気ディスク、光ディスク、光磁気ディスク、ＩＣメモリ等が適用できる。
【００３０】
本発明は、その実施の態様の一例において磁気記録再生装置１とサーバー１５との間のデータの通信を屋内電灯線１０を介して行う有線であったが、無線等のその他の通信手段を適用してもよい。
【００３１】
本発明は、その実施の態様の一例においては、メモリ６、カウンター７は停電のためのバッティーを有しないものとしたが、短時間のバックアップ用としてのバッテリーを有するもの、または、カウンター７だけがバックアップ用バッテリーを有するものにも適用できる。
【００３２】
本発明は、その実施の態様の一例においては、記録再生装置側通信部１９が送信回路２０、受信回路２１から構成するようにしたが、これを兼用として一体化し切換えて使用するものであってもよい。
【００３３】
【発明の効果】
上述したように、本発明の請求項１、３によれば、タイマー予約データは停電があってもデータを保持し処理するサーバーのメモリに予め記録しておくため、停電復帰後にこれを記録再生装置のメモリに送られ再度書き込まれて回復される。従って、ユーザーの留守中に停電があってもその影響を受けることなく予約時刻に放送情報が自動的に記録できる効果がある。また、停電でもデータを保持し処理し且つ家電機器とのデータ通信を行う既存のサーバー付き電力量計を用いるため、新たに設ける構成が少なく低コストでできる効果がある。
【００３４】
また、本発明の請求項２，５によれば、記録再生装置のタイマー回路が停電によってリセットされても停電復帰後にサーバー側のタイマーデータを受信し、再起動することができるため、停電の有無にかかかわらず正確なタイマー動作をして正確な予約時刻に記録を行うことがでる。
【００３５】
更に、本発明の請求項４によれば、停電復帰の時刻がタイマー予約の設定時刻を経過して記録不能に至ったことを検知し、サーバー側のメモリに記憶されている最早、不用になったタイマー予約データを消滅させることができるため、サーバー側でのメモリの利用率の向上と、誤動作の発生防止を図ることができる。
【図面の簡単な説明】
【図１】本発明の実施の形態の一例を示すブロック構成図である。
【図２】本発明の実施の形態の一例における動作を示すフローチャートである。
【符号の説明】
１　　　　記録再生装置
２　　　　記録媒体
３　　　　制御用マイクロコンピュータ
４　　　　駆動部
５　　　　操作部
６　　　　タイマー予約データ用メモリ
７　　　　タイマー回路
８　　　　電源回路
９　　　　電源コード
１０　　　屋内電灯線
１１　　　コンセント
１２　　　屋外電灯線
１３　　　サーバー付き電力量計
１４　　　電力計
１５　　　サーバー
１６　　　メモリ
１７　　　サーバー側通信部
１８　　　バッテリー
１９　　　記録再生装置側通信部
２０　　　送信回路
２１　　　受信回路
【図１】
2004022037.tif 000003
【図２】
2004022037.tif 000004